(57)【要約】【課題】記録ヘッドのノズルの目詰まりを阻止しながら、インク供給管内のインクを効果的に排出することができるインクジェットプリンタを提供する。【解決手段】インクを吐出する吐出口を有する記録ヘッド２と、インクを貯留するインクタンク３と、インクタンク３に貯留されたインクを記録ヘッド２に供給するためのインク供給管５と、を備えるインクジェットプリンタ１において、インク供給管５の一部に配管５ａを介して連通接続され、配管５ａを介してインク供給管５内のインクを吸引する吸引ポンプ５ｂと、インク供給管５ｂの記録ヘッド２近傍部分に設けられた第１弁１１と、インク供給管５のインクタンク３近傍部分に設けられた第２弁１２と、配管５ａに設けられた第３弁１３と、を備える。【選択図】　　　　図２
2004098611.tif 000002
【特許請求の範囲】
【請求項１】
インクを吐出する吐出口を有する記録ヘッドと、インクを貯留するインクタンクと、前記インクタンクに貯留されたインクを前記記録ヘッドに供給するためのインク供給管と、を備えるインクジェットプリンタにおいて、
前記インク供給管の一部に配管を介して連通接続され、前記配管を介して前記インク供給管内のインクを吸引する吸引ポンプと、
前記インク供給管の前記記録ヘッド近傍部分に設けられ、開・閉動作により前記インク供給管内のインクの流通を許容・阻止する第１弁と、
前記インク供給管の前記インクタンク近傍部分に設けられ、開・閉動作により前記インク供給管内のインクの流通を許容・阻止する第２弁と、
前記配管に設けられ、開・閉動作により前記配管内のインクの流通を許容・阻止する第３弁と、
を備えることを特徴とするインクジェットプリンタ。
【請求項２】
前記吐出口を覆うように前記記録ヘッドに装着されるキャップ部材と、
前記キャップ部材を介して前記記録ヘッドの前記吐出口からインクを吸引する回復用吸引ポンプと、
前記吸引ポンプ、前記第１弁、前記第２弁及び前記第３弁を駆動制御する制御手段と、を備え、
前記制御手段は、
前記第１弁及び前記第２弁の閉動作の後に前記第３弁の開動作を実現させ、次いで、前記吸引ポンプによる前記インク供給管内のインクの吸引動作を実現させ、次いで、前記第３弁の閉動作の後に前記第１弁及び前記第２弁の開動作を実現させ、次いで、前記回復用吸引ポンプを作動させて前記インクタンク内のインクを前記インク供給路を介して前記記録ヘッドに供給させる
ことを特徴とする請求項１に記載のインクジェットプリンタ。
【請求項３】
前記吸引ポンプは、
前記回復用吸引ポンプを兼ねることを特徴とする請求項２に記載のインクジェットプリンタ。
【請求項４】
前記インク供給管の前記記録ヘッド近傍部分に設けられ、前記制御手段により開放・閉鎖可能な大気連通口を備え、
前記制御手段は、
前記吸引ポンプによる前記インク供給管内のインクの吸引動作の後に、前記大気連通口を開放させる
ことを特徴とする請求項２又は３に記載のインクジェットプリンタ。
【発明の詳細な説明】
【０００１】
【発明の属する技術分野】
本発明は、インクジェットプリンタに関する。
【０００２】
【従来の技術】
従来より、紙等の記録媒体にインクを吐出し着弾させることにより所定の画像を記録するインクジェットプリンタが提案され、実用化されている。このインクジェットプリンタには、記録媒体上で往復移動可能な記録ヘッドが設けられており、往復移動する記録ヘッドのノズルからインクを微小な液滴として記録媒体に向けて吐出することにより、記録媒体に画像を記録する。
【０００３】
かかるインクジェットプリンタには、記録ヘッドにインクを供給するためのインクを貯留するインクタンクが設けられており、このインクタンク内のインクは、所定のインク供給管を介して記録ヘッドに供給される。インク供給管は、記録ヘッドの往復移動を許容するために、可撓性を有するプラスチックチューブ等が採用されている。
【０００４】
ところで、インクタンクから記録ヘッドに供給されるはずのインクが、インク供給管内に長期間滞留する場合がある。このような場合には、インク供給管内に滞留したインクから水分が蒸散してインクの粘度が上がり、場合によってはインクが固化することがあった。
【０００５】
かかるインク供給管内のインクの高粘度化ないし固化を阻止するために、インク供給管内のインクを排出させる必要があるところ、従来は、記録ヘッドの吐出口に吸引ポンプによる吸引力を作用させ、インク供給管内のインクを記録ヘッドの吐出口から排出する技術が提案されている。また、この技術に関連して、記録ヘッドからインクを排出するための吸引ポンプの大型化を阻止するとともに、インク吸引量を節減するための発明が開示されている（例えば、特許文献１参照。）。
【０００６】
【特許文献１】
特開昭６１−２７７４５８号公報（第１頁、第２図）
【０００７】
【発明が解決しようとする課題】
しかし、記録ヘッドからインク供給管内のインクを排出させる従来の技術を採用すると、インク供給管内に長期間滞留して高粘度となったインクや、一部固化したインクによって、記録ヘッドのノズルの目詰まりが発生する場合があった。このように記録ヘッドのノズルの目詰まりが発生すると、画像記録時の正常なインク吐出動作が妨げられる場合があった。
【０００８】
本発明の課題は、記録ヘッドのノズルの目詰まりを阻止しながら、インク供給管内のインクを効果的に排出することができるインクジェットプリンタを提供することである。
【０００９】
【課題を解決するための手段】
以上の課題を達成するため、請求項１に記載の発明は、
インクを吐出する吐出口を有する記録ヘッドと、インクを貯留するインクタンクと、前記インクタンクに貯留されたインクを前記記録ヘッドに供給するためのインク供給管と、を備えるインクジェットプリンタにおいて、
前記インク供給管の一部に配管を介して連通接続され、前記配管を介して前記インク供給管内のインクを吸引する吸引ポンプと、
前記インク供給管の前記記録ヘッド近傍部分に設けられ、開・閉動作により前記インク供給管内のインクの流通を許容・阻止する第１弁と、
前記インク供給管の前記インクタンク近傍部分に設けられ、開・閉動作により前記インク供給管内のインクの流通を許容・阻止する第２弁と、
前記配管に設けられ、開・閉動作により前記配管内のインクの流通を許容・阻止する第３弁と、
を備えることを特徴とする。
【００１０】
請求項１に記載の発明によれば、第１弁及び第２弁の閉動作によりインク供給管内へのインクの流入及びインク供給管内からのインクの流出を阻止した後、第３弁の開動作及び吸引ポンプによるインク吸引動作を実現させることにより、インク供給管内のインク（インク供給管内に長期間滞留して高粘度となったインクや、一部固化したインクを含む）を、配管を介して排出することができる。
【００１１】
従って、インク供給管内のインクを、従来のように記録ヘッドから排出させる必要がないので、インク供給管内に長期間滞留して高粘度となったインクや、一部固化したインクによって記録ヘッドのノズルが目詰まりを起こすことがない。
【００１２】
請求項２に記載の発明は、
前記吐出口を覆うように前記記録ヘッドに装着されるキャップ部材と、
前記キャップ部材を介して前記記録ヘッドの前記吐出口からインクを吸引する回復用吸引ポンプと、
前記吸引ポンプ、前記第１弁、前記第２弁及び前記第３弁を駆動制御する制御手段と、を備え、
前記制御手段は、
前記第１弁及び前記第２弁の閉動作の後に前記第３弁の開動作を実現させ、次いで、前記吸引ポンプによる前記インク供給管内のインクの吸引動作を実現させ、次いで、前記第３弁の閉動作の後に前記第１弁及び前記第２弁の開動作を実現させ、次いで、前記回復用吸引ポンプを作動させて前記インクタンク内のインクを前記インク供給路を介して前記記録ヘッドに供給させる
ことを特徴とする。
【００１３】
請求項２に記載の発明によれば、制御手段により、第１弁及び第２弁の閉動作の後に第３弁の開動作が実現され、次いで、吸引ポンプによりインク供給管内のインクが吸引される。そして、第３弁の閉動作の後に第１弁及び第２弁の開動作が実現され、次いで、回復用吸引ポンプによりインクタンク内のインクがインク供給路を介して記録ヘッドに供給される。従って、インク供給管内からのインク排出動作に続いて、記録ヘッドへのインク供給動作が連続的に実現される。
【００１４】
請求項３に記載の発明は、請求項２に記載のインクジェットプリンタにおいて、
前記吸引ポンプは、
前記回復用吸引ポンプを兼ねることを特徴とする。
【００１５】
請求項３に記載の発明によれば、吸引ポンプが回復用吸引ポンプを兼ねるため、回復用吸引ポンプを別途設けるための手間やコストを軽減することができる。
【００１６】
請求項４に記載の発明は、請求項２又は３に記載のインクジェットプリンタにおいて、
前記インク供給管の前記記録ヘッド近傍部分に設けられ、前記制御手段により開放・閉鎖可能な大気連通口を備え、
前記制御手段は、
前記吸引ポンプによる前記インク供給管内のインクの吸引動作の後に、前記大気連通口を開放させる
ことを特徴とする。
【００１７】
請求項４に記載の発明によれば、吸引ポンプのインク吸引動作によって減圧されたインク供給管内に、大気連通口の開放によって大気圧を作用させることができる。従って、インク供給管内に長期間滞留して高粘度となったインクや、一部固化したインクを、大型の吸引ポンプを使用することなく効果的に排出することができる。
【００１８】
【発明の実施の形態】
以下、図を参照して本発明の実施の形態を詳細に説明する。
【００１９】
本実施の形態に係るインクジェットプリンタ１は、インクを液滴として所定の記録媒体の記録面に向けて吐出することにより、記録媒体に画像を記録するものである。まず、図１を用いて、本実施の形態に係るインクジェットプリンタ１の機械的構成を説明する。図１は、インクジェットプリンタ１の機械的構成を示す斜視図である。
【００２０】
図１に示すように、インクジェットプリンタ１は、その基本構成として、記録媒体Ｒにインク滴を吐出する四つの記録ヘッド２、各記録ヘッド２にインクを供給する四つのインクタンク３、主走査方向Ａに沿って移動可能なキャリッジ４、記録媒体Ｒを副走査方向Ｂに送り出す（図示されていない）送り機構、各メインタンク３から各記録ヘッド２へとインクを供給するためのインク供給管５、各記録ヘッド２のメンテナンスを行うメンテナンスユニット６、記録媒体Ｒの非記録面を吸引保持するプラテン７、インクジェットプリンタ１の各部材の動作を制御する制御部８（図３参照）等を備えて構成される。
【００２１】
四つの記録ヘッド２は、四つのインクタンク３に対して一つずつ接続されている。これら四つの記録ヘッド２は、インクを吐出する吐出口を備えるとともに後述するキャリッジ４に搭載され、キャリッジ４の移動中において記録ヘッド２に接続されたインクタンク３から供給されたインクを、吐出口から記録媒体Ｒに吐出する。
【００２２】
各インクタンク３は、例えば、交換可能なインクカートリッジを採用することができる。各インクタンク３には一色のインクが貯留されている。インクジェットプリンタ１に適用されるインクの色としては、例えば図１に示す通り、イエロー（Ｙ），マゼンタ（Ｍ），シアン（Ｃ），ブラック（Ｋ）を基本色とする各プロセスカラーを挙げることができる。各インクタンク３には、インク供給管５を介して各記録ヘッド２が接続されている。
【００２３】
キャリッジ４は、四つの記録ヘッド２を搭載した状態で、図１に示した主走査方向Ａに移動する部材である。キャリッジ４は、図示されていない搬送モータによって駆動され、主走査方向Ａに延在するガイド部材４ａに沿って、図示されていない搬送ベルトに支持された状態で往復移動する。
【００２４】
送り機構は、図示していない送りモータ及び送りローラ等を備え、送りモータの駆動により記録媒体Ｒを副走査方向Ｂに送り出す機能を有する。かかる送り機構は、キャリッジ４の動作に合わせて、記録媒体Ｒを間欠的に送り出す（すなわち、記録媒体Ｒの送り出しと停止とを繰り返す）ものである。
【００２５】
インク供給管５は、各インクタンク３と、各記録ヘッド２と、を接続する部材であって、各インクタンク３から各記録ヘッド２へと各色のインクを供給するものである。このインク供給管５は、キャリッジ４の往復移動に追従できるように、可撓性を有する材料から調製されている。本実施の形態では、インク供給管５としてプラスチックチューブを採用している。
【００２６】
なお、インク供給管５には、本発明の主要部となる第１弁１１、第２弁１２及び第３弁１３が設けられており、さらに、その一部に配管５ａを介して吸引ポンプ５ｂが接続されている。また、インク供給管５には、大気連通管５ｃが設けられている。これら第１弁１１や吸引ポンプ５ｂ等については、図２を用いて後述することとする。
【００２７】
メンテナンスユニット６は、図１に示す通り、キャリッジ４の移動端に設けられた部材であって、各記録ヘッド２の下面を覆って各吐出口に残留しているインクを吸引する二つの吸引キャップ６ａと、各記録ヘッド２の下面に残るインクを除去する四つのワイパブレード６ｂと、メンテナンスユニット６自体を図１の矢印Ｃ方向に沿って上下に昇降させる（図示していない）昇降手段と、メンテナンスユニット６自体を図１の矢印Ｄ方向（主走査方向Ａと同じ方向）に沿って移動させる（図示していない）移動手段と、を備えている。
【００２８】
二つの吸引キャップ６ａには、回復用吸引ポンプ６ｃ（図３参照）が接続されている。回復用吸引ポンプ６ｃは、二つの吸引キャップ６ａで各記録ヘッド２からのインクを吸引するための吸引力を発生させるものである。また、回復用吸引ポンプ６ｃには記録ヘッド２から排出したインクを溜めるための（図示されていない）廃インクタンクが接続されている。すなわち、二つの吸引キャップ６ａ上に記録ヘッド２を配置した状態で回復用吸引ポンプ６ｃを作動させることにより、各記録ヘッド２の各吐出口に残留したインクを吸引して排出したインクを廃インクタンクに貯留できるようになっている。
【００２９】
四つのワイパブレード６ｂは、主走査方向Ａに沿って並んで設けられている。各ワイパブレード６ｂは、記録ヘッド２の吐出口の並び方向に沿うように設けられた板状の弾性体である。各ワイパブレード６ｂは、各記録ヘッド２に設けられた複数の吐出口のうち副走査方向Ｂに沿う両端部の吐出口間の距離と同じか又はそれよりも長くされている。そして、各ワイパブレード６ｂの長さ方向が副走査方向Ｂに一致するように、各ワイパブレード６ｂは配置されている。
【００３０】
メンテナンスユニット６は、二つの吸引キャップ６ａ及び四つのワイパブレード６ｂ等を備えることによって、各記録ヘッド２の各吐出口における気泡の発生及び目詰まり等を防止し、更にインクの残留等を除去する。すなわち、このメンテナンスユニット６により、各記録ヘッド２の各吐出口からのインク滴の吐出状態を良好な状態に維持することができ、ひいては記録媒体Ｒへの高精細な画像記録が可能となる。
【００３１】
プラテン７は、副走査方向Ｂに搬送される記録媒体Ｒの非記録面を吸引保持するものである。具体的には、プラテン７の下方にはファンを備える吸引室が設けられているとともに、この吸引室に連通する複数の小孔からなる吸引口がプラテン７の裏側に設けられている。吸引室のファンを駆動させることによってプラテン７上の記録媒体Ｒの非記録面を吸引でき、さらに、このファンの駆動と送り機構との協働によって記録媒体Ｒをプラテン７に密着させた状態で副走査方向Ｂに搬送できるようになっている。
【００３２】
次に、本実施の形態に係るインクジェットプリンタ１の主要部について、図２を用いて説明する。図２は、インクジェットプリンタ１の主要部に係る構成の模式図である。図２に示した主要部に係る構成は、インク供給管５内のインクを排出させるためのものである。なお、かかる構成を使用してインク供給管５からインクを排出する動作については、後述する。
【００３３】
インクジェットプリンタ１のインク供給管５のインクタンク３近傍部分には、配管５ａが連通接続されており、この配管５ａを介してインク供給管５内のインクを吸引する吸引ポンプ５ｂが設けられている。また、インク供給管５には、その記録ヘッド２近傍部分に第１弁１１が、そのインクタンク３近傍に第２弁１２が、各々設けられている。また、配管５ａには、第３弁１３が設けられている。
【００３４】
配管５ａ及び吸引ポンプ５ｂは、インク供給管５内のインクを排出させる機能を果たすものである。吸引ポンプ５ｂの下方には、インク供給管５内から排出されたインクを溜める（図示されていない）廃インクタンクが設けられている。吸引ポンプ５ｂは、後述する制御部８のＣＰＵ８ａによって駆動制御される。
【００３５】
第１弁１１及び第２弁１２は、後述する制御部８のＣＰＵ８ａによって開・閉動作するものであり、いずれも、開動作によってインク供給管５内のインクの流通を許容する一方、閉動作によってインク供給管５内のインクの流通を阻止するものである。第３弁１３は、後述する制御部８のＣＰＵ８ａによって開・閉動作するものであり、開動作によって配管５ａ内のインクの流通を許容する一方、閉動作によって配管５ａ内のインクの流通を阻止するものである。
【００３６】
また、インクジェットプリンタ１のインク供給管５の記録ヘッド２近傍部分には、大気連通管５ｃが設けられている。この大気連通管５ｃには、後述する制御部８のＣＰＵ８ａの制御によって開・閉動作する大気連通弁１４が設けられている。
【００３７】
次に、本実施の形態に係るインクジェットプリンタ１の電気的構成について、図３を用いて説明する。図３は、インクジェットプリンタ１の制御部８に係る構成を説明するためのブロック図である。
【００３８】
図３に示すように、制御部８は、ＣＰＵ（Ｃｅｎｔｒａｌ　Ｐｒｏｃｅｓｓｉｎｇ　Ｕｎｉｔ）８ａ、ＲＡＭ（Ｒａｎｄｏｍ　Ａｃｃｅｓｓ　Ｍｅｍｏｒｙ）８ｂ、ＲＯＭ（Ｒｅａｄ　Ｏｎｌｙ　Ｍｅｍｏｒｙ）８ｃ、インターフェイス（以下、「Ｉ／Ｆ」という）８ｄ等から構成されている。
【００３９】
ＣＰＵ８ａは、ＲＯＭ８ｃに格納されている制御プログラムをＲＡＭ８ｂ内の作業領域に展開し、この制御プログラムに従った各種処理を実行するものである。ＲＡＭ８ｂは、入力された各種データ等を記憶する記憶領域や、ＣＰＵ８ａによる作業領域として機能するものである。ＲＯＭ８ｃは、インクジェットプリンタ１の各部の動作に関する各種制御プログラムや制御データなどを記憶するものである。
【００４０】
ＣＰＵ８ａには、インターフェイス８ｄを介して、第１弁１１、第２弁１２、第３弁１３、吸引ポンプ５ｂ、回復用吸引ポンプ６ｃ及び大気連通弁１４が電気的に接続されている。インク供給管５内からインクを排出する際には、ＣＰＵ８ａによって、吸引ポンプ５ｂ、第１弁１１、第２弁１２及び第３弁１３が駆動制御される。すなわち、ＣＰＵ８ａは、本発明における制御手段である。
【００４１】
続いて、本実施の形態に係るインクジェットプリンタ１のインク供給管５からインクを排出する動作について説明する。
【００４２】
まず、制御部８のＣＰＵ８ａは、インク供給管５に設けられた第１弁１１及び第２弁１２を閉動作させる。第１弁１１の閉動作により、インク供給管５内のインクが記録ヘッド２から外部へ流出するのを阻止することができる。また、第２弁１２の閉動作により、インクタンク３からインク供給管５へインクが流入するのを阻止することができる。
【００４３】
次いで、ＣＰＵ８ａは、第３弁１３を開動作させる。第３弁１３の開動作により、インク供給管５と配管５ａとが連通される。次いで、ＣＰＵ８ａは、吸引ポンプ５ｂを駆動して吸引動作させる。この吸引ポンプ５ｂの吸引動作により、インク供給管５内のインクが配管５ａを介して排出される。配管５ａを介して排出されたインクは、廃インクタンクに溜められる。
【００４４】
吸引ポンプ５ｂによるインク吸引動作を所定時間実施した後、ＣＰＵ８ａは、大気連通弁１４を開動作させる。この大気連通弁１４の開動作により、大気連通管５ｃが開放される。このため、吸引ポンプ５ｂによるインク吸引動作によって減圧されたインク供給管５内に、開放された大気連通管５ｃの大気連通口を介して、大気圧を作用させることができる。従って、インク供給管５内に長期間滞留して高粘度となったインクや、一部固化したインクを、効果的に排出することができる。
【００４５】
以上のようなインク排出動作を終えた後、ＣＰＵ８ａは、第３弁１３を閉動作させた後、第１弁１１及び第２弁１２を開動作させる。その後、回復用吸引ポンプ６ｃを作動させて、インクタンク３内のインクを、インク供給路５を介して記録ヘッド２に供給する。
【００４６】
本実施の形態に係るインクジェットプリンタ１においては、第１弁１１及び第２弁１２の閉動作によりインク供給管５内へのインクの流入及びインク供給管５内からのインクの流出を阻止した後、第３弁１３の開動作及び吸引ポンプ５ｂによるインク吸引動作を実現させることにより、インク供給管５内のインク（インク供給管５内に長期間滞留して高粘度となったインクや、一部固化したインクを含む）を、配管５ａを介して排出することができる。
【００４７】
従って、インク供給管５内のインクを、従来のように記録ヘッド２から排出させる必要がないので、インク供給管５内に長期間滞留して高粘度となったインクや、一部固化したインクによって記録ヘッド２のノズルが目詰まりを起こすことがない。
【００４８】
また、本実施の形態に係るインクジェットプリンタ１においては、ＣＰＵ８ａにより、第１弁１１及び第２弁１２の閉動作の後に第３弁１３の開動作が実現され、次いで、吸引ポンプ５ｂによりインク供給管５内のインクが吸引される。そして、第３弁１３の閉動作の後に第１弁１１及び第２弁１２の開動作が実現され、次いで、回復用吸引ポンプ６ｃによりインクタンク３内のインクがインク供給路５を介して記録ヘッド２に供給される。従って、インク供給管５内からのインク排出動作に続いて、記録ヘッド２へのインク供給動作が連続的に実現される。
【００４９】
また、本実施の形態に係るインクジェットプリンタ１においては、ＣＰＵ８ａにより、インク供給管５内のインクの吸引動作の後に大気連通弁１４を開動作させるので、吸引ポンプ５ｂのインク吸引動作によって減圧されたインク供給管５内に、開放された大気連通管５ｃの大気連通口を介して大気圧を作用させることができる。従って、インク供給管５内に長期間滞留して高粘度となったインクや一部固化したインクを、効果的に排出することができる。
【００５０】
なお、本実施の形態では、吸引ポンプ５ｂと、回復用吸引ポンプ６ｃとを、別々に設けることとしたが、吸引ポンプ５ｂに回復用吸引ポンプの機能を果たさせることもできる。このように吸引ポンプ５ｂを回復用吸引ポンプ兼用とすることにより、回復用吸引ポンプを別途設けるための手間やコストを軽減することができる。
【００５１】
【発明の効果】
請求項１に記載の発明によれば、第１弁及び第２弁の閉動作によりインク供給管内へのインクの流入及びインク供給管内からのインクの流出を阻止した後、第３弁の開動作及び吸引ポンプによるインク吸引動作を実現させることにより、インク供給管内のインクを、配管を介して排出することができる。
【００５２】
従って、インク供給管内のインクを、従来のように記録ヘッドから排出させる必要がないので、インク供給管内に長期間滞留して高粘度となったインクや、一部固化したインクによって記録ヘッドのノズルが目詰まりを起こすことがない。
【００５３】
請求項２に記載の発明によれば、制御手段により、第１弁及び第２弁の閉動作の後に第３弁の開動作が実現され、次いで、吸引ポンプによりインク供給管内のインクが吸引される。そして、第３弁の閉動作の後に第１弁及び第２弁の開動作が実現され、次いで、回復用吸引ポンプによりインクタンク内のインクがインク供給路を介して記録ヘッドに供給される。従って、インク供給管内からのインク排出動作に続いて、記録ヘッドへのインク供給動作が連続的に実現される。
【００５４】
請求項３に記載の発明によれば、吸引ポンプが回復用吸引ポンプを兼ねるため、回復用吸引ポンプを別途設けるための手間やコストを軽減することができる。
【００５５】
請求項４に記載の発明によれば、吸引ポンプのインク吸引動作によって減圧されたインク供給管内に、大気連通口の開放によって大気圧を作用させることができる。従って、インク供給管内に長期間滞留して高粘度となったインクや、一部固化したインクを、大型の吸引ポンプを使用することなく効果的に排出することができる。
【図面の簡単な説明】
【図１】本実施の形態に係るインクジェットプリンタの機械的な構成を説明するための斜視図である。
【図２】本実施の形態に係るインクジェットプリンタの主要部を説明するための概略図である。
【図３】本実施の形態に係るインクジェットプリンタの電気的な構成を説明するためのブロックである。
【符号の説明】
１　　　　インクジェットプリンタ
２　　　　記録ヘッド
３　　　　インクタンク
４　　　　キャリッジ
４ａ　　ガイド部材
５　　　　インク供給管
５ａ　　配管
５ｂ　　吸引ポンプ
５ｃ　　大気連通管
６　　　　メンテナンスユニット
６ａ　　吸引キャップ
６ｂ　　ワイパブレード
６ｃ　　回復用吸引ポンプ
７　　　　プラテン
８　　　　制御部
８ａ　　ＣＰＵ
８ｂ　　ＲＡＭ
８ｃ　　ＲＯＭ
８ｄ　　Ｉ／Ｆ
１１　　　　第１弁
１２　　　　第２弁
１３　　　　第３弁
１４　　　　大気連通弁
【図１】
2004098611.tif 000003
【図２】
2004098611.tif 000004
【図３】
2004098611.tif 000005